(57)【要約】
【課題】　樹脂板を含む図柄表示体で、樹脂板の表面に表示されたものを、第三者に知られず、自己の意思に応じて、それを見て楽しめるようにする。
【解決手段】　黒以外の一色で、不透明で透光性のある樹脂板１ａの表面３には、裏面２から光を照射して表面３側から見た際に、その透光性の差によってモノクロ状に一定図柄（人の顔）が顕在化するように、その顔のうち、黒い部位を隆起部とし、白い部位を沈降部として形成した。そして、この樹脂板１ａの裏面２に、透光性のある蓄光材３１を透明のカバー４１で覆って設けた。カバー４１側から樹脂板１ａの表面３に向けて光を照射してその表面３側から見ると、樹脂板１ａの厚みに応じ、厚いところでは黒く見え、薄いところでは白っぽく見えるので、モノクロ写真のように見える。暗所においては、その光を除去しても蓄光材３１の残光時間、同様に見える。
【選択図】　　　　図１
0003100142.tif 000002
【実用新案登録請求の範囲】
【請求項１】
不透明で透光性があり、黒色以外の一色で着色された樹脂を素材とする樹脂板の表面には、その裏面から光を照射して該表面側から見た際に、その透光性の差によって、モノクロ状に一定図柄が顕在化するように、隆起部又は沈降部が形成されており、しかも、該樹脂板の裏面には、透光性のある発光体が設けられていることを特徴とする図柄表示体。
【請求項２】
不透明で透光性があり、黒色以外の一色で着色された樹脂を素材とする樹脂板の表面には、その裏面から光を照射して該表面側から見た際に、その透光性の差によって、濃淡のあるモノクロ状に一定図柄が顕在化するように、隆起部又は沈降部が形成され、しかも、該樹脂板の裏面には、透光性のある発光体が設けられていることを特徴とする図柄表示体。
【請求項３】
前記発光体は、前記樹脂板の裏面に、着脱自在に設けられていることを特徴とする、請求項１又は２に記載の図柄表示体。
【請求項４】
前記発光体は、前記樹脂板の裏面に、接着により設けられていることを特徴とする、請求項１又は２に記載の図柄表示体。
【請求項５】
前記発光体は、前記樹脂板の裏面に、コーティングされて設けられていることを特徴とする、請求項１又は２に記載の図柄表示体。
【請求項６】
前記発光体は、柔軟なシート基材として形成され、前記樹脂板の裏面に、該シート基材を接着することで設けられていることを特徴とする、請求項１又は２に記載の図柄表示体。
【請求項７】
前記樹脂板はその裏面が平面であることを特徴とする、請求項１〜６のいずれか１項に記載の図柄表示体。
【請求項８】
前記樹脂板はその裏面が略球面であることを特徴とする、請求項１〜６のいずれか１項に記載の図柄表示体。
【請求項９】
前記発光体は、蓄光材であることを特徴とする、請求項１〜８のいずれか１項に記載の図柄表示体。
【考案の詳細な説明】
【技術分野】
【０００１】
　本考案は、キーホルダーなどに好適な図柄表示体に関する。
【背景技術】
【０００２】
　キーホルダーなどに使用される図柄表示体の代表的なものである図柄表示板のうち、貴金属製ではなく、樹脂製（プラスチック製）のものがある。このものには、その表面に、例えば人気歌手や俳優の顔写真、或いは名所、旧跡を表現ないしデザインした写真が印刷されたもの、或いはその印刷物（シール）が接着などによって張り付けられたものがある。
【０００３】
　ところが、このように、写真、或いはその印刷物が張り付けられてなる図柄表示板（以下、図柄表示体という）では、特に、表示されているものが人気歌手の顔のような場合には、それがそのまま見ることのできるものである。このため、所持している本人以外に、その本人の好み、嗜好を容易に知られてしまうという問題がある。すなわち、第三者に自己の好みの例えば人気歌手が、その意に反して容易に知られてしまうといった問題があった。したがって、このような問題を嫌う顧客には、例え自己の好みの人気歌手の顔写真が表示されているとしても、そのようなキーホルダーは購買されにくい、といった問題があった。
【０００４】
　また、このような問題を嫌うことのない顧客においても、表示されているのが好みの人気歌手の顔といえども、それが常時そのまま見える場合には、新鮮味が無くなることから、飽きられがちとなる。このため、飽きられ易さが、この種のキーホルダー等の売れ行き低下に大きく影響する。こうしたことから、このような商品においても、意外性のあるものの出現が要求されている。そして、このことは人気歌手や俳優の写真に限られず、名所、旧跡等を表現した図柄表示体においても同様のことがいえる。
【考案の開示】
【考案が解決しようとする課題】
【０００５】
　本考案は、従来の図柄表示体のもつ、こうした課題の解決のためになされたもので、表示された自己の好みのものを、第三者に知られることなく、自己の意思に応じてて、適宜にそのものを視認する（見る）ことができるとともに、所持するものに面白みを付与できたり、或いは見るものに意外性を付与できる図柄表示体を提供することをその目的とする。
【課題を解決するための手段】
【０００６】
　本考案は、上記の課題を解決するためになされたもので、請求項１に記載の考案は、不透明で透光性があり、黒色以外の一色で着色された樹脂を素材とする樹脂板の表面には、その裏面から光を照射して該表面側から見た際に、その透光性の差によって、モノクロ状に一定図柄が顕在化するように、隆起部（凸部）又は沈降部（凹部）が形成されており、しかも、該樹脂板の裏面には、透光性のある発光体が設けられていることを特徴とする図柄表示体である。
【０００７】
　そして、請求項２に記載の考案は、不透明で透光性があり、黒色以外の一色で着色された樹脂を素材とする樹脂板の表面には、その裏面から光を照射して該表面側から見た際に、その透光性の差によって、濃淡のあるモノクロ状に一定図柄が顕在化するように、隆起部（凸部）又は沈降部（凹部）が形成されており、しかも、該樹脂板の裏面には、透光性のある発光体が設けられていることを特徴とする図柄表示体である。
【考案の効果】
【０００８】
　請求項１又は２に記載の本考案に係る図柄表示体は、常時は、それをなす樹脂板の表面を見ても、黒色以外の一色からなるものである。このため、その表面の凹凸が視認されるとしても、その図柄（デザイン）が何かは明確には知ることができない。一方、樹脂板は、不透明で透光性があり、黒色以外の一色のものであり、前記裏面側から表面に向けて光を照射し、その表面側から見た際に、その透光性の差によって、モノクロ状に一定図柄が顕在化するように、隆起部又は沈降部が形成されている。すなわち、高さの異なる隆起部、又は深さの異なる沈降部（沈下部）が形成されている。したがって、例えば、モノクロ写真の黒に対応する面の部位又は線を隆起部とし、白に対応する部位又は線を沈降部とし、灰色に対応する部位又は線をその中間の隆起部（肉厚部）とするとともに明度の高低にあわせた厚さとして具体化したものとする。こうすることで、前記樹脂板の裏面側、すなわち、発光体側から前記樹脂板の表面側に向けて光を照射し、前記樹脂板の表面側から見た際には、その表面には透光性の差による明度差のある影がモノクロ写真のごとくに顕在化する。
【０００９】
　すなわち、このように前記樹脂板の表面から見たときは、光の透過性に対応して、図柄表示体をなす樹脂板における隆起部（厚肉部）は濃く、沈降部（薄肉部）は淡く、中間の肉厚部はその厚さに応じた明度差をもつトーンとして、白黒写真（又は白黒で表現された絵又はデザイン）のごとく認識される。このように、通常は、その表面に見える図柄は不明確であるため、その状態において第三者に見られても、具体的にはその内容を知られることはない。一方で、見たいときは、上記したように、裏面の発光体側から光を当てて前記樹脂板の表面を見ることで、一定図柄を認識できる。したがって、自己の意に反して、他人にその一定図柄が何であるのかが容易に知られないし、見たいときには容易に見ることができる。
【００１０】
　加えて、前記樹脂板の裏面には、透光性のある発光体が設けられているため、夜間或いは暗所（以下、単に夜間ともいう）においては、この発光体の裏面から光を照射している間だけでなく、その光の照射を止めても、その発光体の有する残光時間（残光作用のある間）中、その一定図柄が顕在化して見える。
【００１１】
　また、表面の前記樹脂板は、一色のものであるため、上記のように光を照射しない限り、表面の凹凸はあるものの変哲のないプラスチック板と認識される。一方、上記のように光を当てて表面から見たときにおいて始めて、一定図柄が視認できるという意外性があるため、見る者を飽きさせない効果がある。
【００１２】
　なお、一定図柄は影となって認識され、その濃さは、前記樹脂板の厚さに略比例するため、黒味を強調したいときは前記樹脂板における隆起部の隆起高さを高くし、白味を強調したいときは隆起部の隆起高さを低く（沈降部の深さを深く）すればよい。本考案において、樹脂板は黒以外の一色で、しかも不透明で透光性のあるものあればよいが、その色は、無彩色（白色又は灰色）が好ましい。
【００１３】
　また、発光体としては、好ましくは蓄光材が挙げられるが、これに限定されるものではない。本明細書において発光体とは、太陽光や照明の光エネルギーを吸収して蓄えることで、夜間や暗所（暗闇）において、所定時間、それ自身から光を放出（自発光）できるものである。
【００１４】
　請求項３に記載の考案は、前記発光体は、前記樹脂板の裏面に、着脱自在に設けられていることを特徴とする、請求項１又は２に記載の図柄表示体である。
【００１５】
　請求項４に記載の考案は、前記発光体は、前記樹脂板の裏面に、接着により設けられていることを特徴とする、請求項１又は２に記載の図柄表示体である。
【００１６】
　請求項５に記載の考案は、前記発光体は、前記樹脂板の裏面に、コーティングされて設けられていることを特徴とする、請求項１又は２に記載の図柄表示体である。
【００１７】
　請求項６に記載の考案は、前記発光体は、柔軟なシート基材として形成され、前記樹脂板の裏面に、該シート基材を接着することで設けられていることを特徴とする、請求項１又は２に記載の図柄表示体である。
【００１８】
　請求項７に記載の考案は、前記樹脂板はその裏面が平面であることを特徴とする、請求項１〜６のいずれか１項に記載の図柄表示体である。
【００１９】
　請求項８に記載の考案は、前記樹脂板はその裏面が略球面であることを特徴とする、請求項１〜６のいずれか１項に記載の図柄表示体である。
【００２０】
　請求項９に記載の考案は、前記発光体は、蓄光材であることを特徴とする、請求項１〜８のいずれか１項に記載の図柄表示体である。
【考案を実施するための最良の形態】
【００２１】
　本考案を実施するための最良の形態について、図１及び図２に基づいて詳細に説明する。本形態の図柄表示体１は、図柄を顕在化させる樹脂板１ａと、その裏面２に設けられる発光体である蓄光材３１と、この蓄光材３１を覆って、これを樹脂板１ａの裏面２に固定するための無色透明の樹脂からなるカバー４１からなっている。
【００２２】
　このうち、樹脂板１ａは、本形態では白又は灰色のＡＢＳ樹脂からなり、一辺が例えば３５ｍｍの略正方形の板をなしており、キーホルダー用の基板をなすものである。そして、樹脂板１ａの裏面２はその全体が平面であるが、表面３には、人物の顔が図柄として表されるように、表面３側から見て、隆起部又は沈降部（沈下部）が凸設又は凹設されている。なお、樹脂板１ａ自体は一色であり、不透明の定盤上に裏面２を当接して置き、表面３側からみたときは、実際には凹凸はある程度の陰影によって視認されるだけである。しかし、理解を容易とするため、図１、２においては表面３に白黒で人物の顔４を着色して表示している。そして、このうち、黒で着色された部位又は線が隆起部であり、白の部位が沈降部である。すなわち、後述するように、裏面２から光を当てて表面３から見たときに肉眼で見た状態を示している。なお、樹脂板１ａの表面３の周囲には所定の幅、高さの隆起部が設けられており額縁９をなしている。
【００２３】
　本形態において樹脂板１ａは、図上、白で表されている背景部位６が、一番薄く、例えば０．５ｍｍで一定厚さとされている。そして、図上、人物の顔４などの輪郭線と、髪、眉毛、目の瞳、鼻、及び口、そして額縁９が一番厚く、例えば、２．０ｍｍとなるように隆起状に形成されている。そして、人物における中間の濃さの部位が、その濃さ（トーン）に応じて、背景部位（一番薄い部位）４より次第に肉厚が厚くなるように隆起状に形成されている。つまり、本形態では、表面３のうち、背景部位６を基準としてみたとき、人物の部位が相対的に隆起する隆起部とされ、人物において白の部位は相対的に沈降部（薄肉部）とされている（図１中のＢ−Ｂ線断面図、Ｃ−Ｃ線断面図、参照）。なお、図１中の１０は、図示しないキーを連結するためのチェーン連結用通孔１０ａ付きの突起（耳片）である。
【００２４】
　ここで、図１の樹脂板１ａにおける顔４のうち、目と眉毛の部位について図２に示した拡大図及びそこに示した断面図に基づいて、表面３の隆起部又は沈降部の状態を説明する。図２中のＤ−Ｄ線断面図、Ｅ−Ｅ線断面図に示したように、図１又は図２における表面３のうち、黒く示されている部位、つまり顔４における目２１の中央２２と、左右の目尻の部位が、各断面に示したように、高く隆起状に形成され、白目２５の部位が相対的に沈降状に凹設され、背景部位６と同様の厚さとされている。また、目２１のうち虹彩の部位は、瞳の中央２２の部位より隆起がやや低くなるように形成されている。そして、虹彩における図示の左には縦長矩形の部位が部分的に沈降状に凹設されている。また、Ｄ−Ｄ線断面にて示したように、眉毛２７及びまつげ２８に対応する部位も、その両者の間の部位に比べて高めの隆起状に形成されている。
【００２５】
　このように本形態において図柄表示体１をなす樹脂板１ａは、モノクロ写真としたとき、黒く見える部位が相対的に高く隆起するように（基板が厚く）形成されている。そして、白く見える部位が相対的に沈降するように（隆起部の高さが低くなるように）形成されている。また、中間の濃淡部位が、モノクロのトーンに合わせ、そのトーンに応じてその厚くなるように、各部の隆起部の高さが異なるものとされている。なお、表面における周囲の額縁９の表面３側には、樹脂板１ａとは異なる色を塗装により着色してあるが、このような着色はなくてもよい。
【００２６】
　さて、このような樹脂板１ａの裏面２には、透光性のある蓄光材３１が設けられている。本形態では、蓄光材３１は、樹脂に練りこんで一定厚さの板状の固体に形成したものであり、これを樹脂板１ａの裏面２に当接状とし、次のようにして固定されている。すなわち、透明樹脂（薄板）からなるカバー４１にて蓄光材３１を覆うようにし、カバー４１の周縁寄り部位を、樹脂板１ａの裏面２の周縁寄り部位（額縁部９に対応する部位）に接着して、その固定を行なっている。なお、カバー４１は、例えば、樹脂板１ａと同素材のＡＢＳ樹脂からなり、その周縁寄り部位を、樹脂板１ａの裏面２に超音波加工により接着している。
【００２７】
　このような本形態の図柄表示体１は、その樹脂板１ａの表面３を普通に見たときは、一色のため、隆起部或いは沈降部があることは視認できる。つまり、表面３は凹凸のある一色のものとして視認され、一見しただけでは、第三者はその図柄（デザイン）が何であるのかは正確にはわからない。一方、樹脂板１ａの裏面２側、すなわち、カバー４１側から樹脂板１ａの表面３側に、図１（Ｃ−Ｃ線断面図）中、破線矢印で示したように光を当てる。すると、その光は透光性のある蓄光材３１を通過し、樹脂板１ａの裏面２から表面３へ進み、その樹脂板１ａの表面３には樹脂板１ａ自体の厚さに応じた透光性の差による影が映る。
【００２８】
　そして、その影の濃さは、隆起部の高さが高い部位、つまり樹脂板１ａの厚みの大きい部位では、光の透過性が悪いために濃く（暗く）見え、したがって黒色ぽく見える。逆に、厚さの薄い部位では、光の透過性がよいために明るく、見る者には白っぽく見える。そして、中間の厚さ部位では、その厚みに応じた光の透過性の差により、トーン差のある灰色に見える。すなわち、樹脂板１ａにおける光の透過性に対応して、隆起部（厚肉部）は黒く、沈降部（薄肉部）は白く、中間の肉厚部は灰色に見えるため、表面３にはモノクロ写真と同様ないし類似の図柄（本形態では人の顔）が顕在化することになる。なお、額縁９は、着色してあるため、略その色として視認される。
【００２９】
　このように、図柄表示体１をなす樹脂板１ａの表面自体の外観のみからでは、その表面３に何が表示されているのか、第三者には容易に知られない。しかし、表面３に表されているものを見たいときは、その裏面２側の蓄光材３１の裏面３２側のカバー４１を介して樹脂板１ａの表面３に向けて光を当て、その表面３を見ることで、その願望が叶うことになる。したがって、自己の意のままに、一定図柄を表面３から見て楽しむことができるため、見る者を飽きさせない。さらに、樹脂板１ａは、通常、一色の変哲のないプラスチック板と認識されるが、前記したように光を当てて表面３から見たときのみ、図柄が顕在化するという意外性がある。このようなことから、本形態の図柄表示体１をキーホルダーとして用いる場合には、それを保持する者に、面白みや楽しみを付与できるという効果がある。
【００３０】
　しかも、夜間或いは暗所（暗闇）においては、樹脂板１ａの裏面２側、すなわち、カバー４１側から光を当てると、その光は透光性のある蓄光材３１を通過し、樹脂板１ａの表面３には、前記したのと同様に、モノクロ写真と同様ないし類似の図柄が顕在化する。しかも、その光を消すか、除去しても、蓄光材３１の蓄光作用により、同図柄はその残光がある間、しばらくは、光を伴って顕在化しつづける。また、昼間において、蓄光材３１に太陽光等の光エネルギーを吸収して蓄えさせておくことにより、夜間に至って同図をしばらく顕在化させることができる。
【００３１】
　なお、本形態においては、その樹脂板１ａを、モノクロ写真における白の部位（明るい部位）が一番薄くなるように表面３を凹設し、黒に対応する部位（暗い部位）が一番厚くなるように表面３を隆起させている。そして、中間のトーンの部位は、そのトーンに応じた明度が得られる厚さとなるように、隆起部の高さ又は沈降部の深さを設定してある。こうして、一定図柄をモノクロ写真と同様のものとして顕在化させることができる。また、モノクロの濃淡は、照射する光の光度及び樹脂板１ａの透過性に左右されるため、それらに基づいて、適宜に樹脂板１ａの厚み、つまり表面３の隆起部の高さ又は沈降部の深さを設定すればよい。ただし、照射する光は、蓄光材３１の透光性を考慮して設定する。また、濃淡の差を明確ないし明瞭にしたい部位では、隆起部と沈降部の境界が裏面２に垂直となるように、すなわち、その高さの差を大きく設定するとよい。なお、本形態においては、カバー４１を無色透明の樹脂としたが、有色透明のものとしてもよい。ただし、なるべく透明度の高い素材で形成するのが好ましい。
【００３２】
　なお、このような図柄表示体１をなす樹脂板１ａは、その表面３の形状、及び凹凸に倣って彫った型と、裏面２に対応する平坦な型よりなる一対の型により、素材（例えばシート）を加熱下でプレスする成形したり、射出成形するなど、適宜の公知の樹脂成形法により製造できる。また、顕在化させたい一定図柄の解像度は、表面の隆起部又は沈降部の精度に依存することになる。このため、モノクロ写真に近いものとして一定図柄を顕在化させたい場合には、その表面３を成形する型面は、できるだけ細かく高精度に加工するのが好ましい。
【００３３】
　一方、蓄光材３１は、公知の蓄光材粉体（蓄光粉）を透明又は透光性の有る樹脂に適量、混合して練り込み、それを素材として板状に形成したものを用いればよい。なお、本明細書において、発光体又は蓄光材というときは、発光体又は蓄光材そのものに加えて、これを含んで、一定の形態に形成したものも含んでいる。例えば、発光体又は蓄光材を粉体等とし、その粉体を樹脂に練りこんで（混合して）一定の形態に形成したものも含んでいる。また、蓄光材粉体は、公知の製法により、例えば、酸化アルミニウムを主成分とし、これに希土類元素などを含む原材料から成形体を形成し、これを焼成した後で、破砕して微細に分割することで製造される。
【実施例１】
【００３４】
　さて次に、本考案にかかる実施例１について、図３及び図４に基づいて説明する。ただし、このものは、前記の実施の形態の設計変更とでも言うべきものであるため、同一の部位には同一の符号を付し、相違点のみ説明する（他の実施例についても同様とする）。すなわち、実施例１のものは、前記の実施の形態において、樹脂板１ａの裏面２側に、蓄光材３１装填用の出入り口４５のある空所（空間）３０が形成されるようにカバー４１を前記と同様にして予め設けてある。そして、その空所３０に蓄光材３１を、樹脂板１ａの裏面２に沿って、例えば、図３−Ｂ、Ｃ中、矢印で示したように、上下にスライド状に出し入れ自在とすることで、脱着自在としたものである。なお、本実施例では、蓄光材３１は、挿入状態においては、カバー４１の弾性によって若干締付けられるように設定され、出入り口４５から容易に抜け落ちないようにされている。一方、取出したいときは、蓄光材３１の裏面３２における、出入り口４５寄り部位に凹部３３が設けてあるため、例えば指の爪をその凹部３３にかけて引き抜けるようにされている。
【００３５】
　このような実施例のものでは、蓄光材３１を取出した状態（図３−Ｃ参照）では、樹脂板１ａの裏面２から、透明のカバー４１のみを介する状態で光を当てて、その表面３を見ることができる。樹脂板１ａの表面３の図柄は、昼間は蓄光材３１がない方が明瞭かつ奇麗に顕在化する。一方で、夜間（暗所）においては、蓄光材３１が設けられている場合にはそれが発する光が加味されるため、昼間とは別の印象を与えることができる。すなわち、このものでは２つの楽しみ方ができる。しかも、このものでは、樹脂板１ａから取出した蓄光材３１を、別途、光に照射しておくことができるため、長い残光時間が容易に得られる。
【００３６】
　なお、実施例１においては、カバー４１は、蓄光材３１の裏面３２の全体を覆うものとしたが、このようなカバー４１は、蓄光材３１の脱落がなく、樹脂板１の裏面２に設けられていればよい。したがって、カバー４１は、図４中に２点鎖線で示したように、蓄光材３１の裏面３２における中央部分に対応する部位４０を切除して窓状に貫通させてもよい。すなわち、透明といえども、完全透明は達成できないため、カバーがある分、光がさえぎられるのに対し、このように貫通していれば、そのような問題は解消されるため、蓄光材３１に対する照射効率を向上させることができる。
【実施例２】
【００３７】
　さて次に、本考案にかかる実施例２について、図５に基づいて説明する。ただし、この図柄表示体は、前記実施例に対し、蓄光材３１を、樹脂板１ａの裏面２に接着剤（図示せず）で接着した点のみが相違するだけのため、詳細な説明は省略する。このような構成とすれば、前記実施例におけるカバーが不要とできるため、構成の簡略化が図られる。
【００３８】
　なお、図５においては、蓄光材３１を固体としたが、このものに代えて、透明性のある柔軟なシート材（テープ）として形成し、これを粘着剤を介して樹脂板の裏面に接着してもよい。また、蓄光材を透明性のあるペースト或いはインクとし、これを樹脂板の裏面にコーティング（塗布）、乾燥させて形成してもよい。このようにしておいても、樹脂板への蓄光材の取り付けが、簡易に行なえるというメリットがある。
【００３９】
　なお、前記した実施の形態又は実施例では、樹脂板の裏面が平面（平坦）をなすものにおいて具体化したが、本考案においては、樹脂板の裏面は、平面のみに限定されるものではなく、平面以外のもの、すなわち、例えば、球面（球面の部分又は全体）、任意の曲面、或いは多面を有する多面体、さらにはこれらの複合体などにおいても具体化できる。
【００４０】
　また、前記においては、キーホルダーとして具体化したが、本考案の図柄表示体は、広く各種の物品において具体化することができる。例えば、写真立て（額）として具体化すれば、裏面に電灯などの光源を適宜に設けておくことで、その光源に灯火（点灯）したとき、或いは消灯後における発光体の残光時間、一定図柄を顕在化させることができる。また、照明器具のカバー（傘）、ランプシェード、レストランにおけるテーブル上に配置される蝋燭立てのほや（風除け）、看板としても具体化できる。さらに、スライドファスナーのツマミ（引き手）用の基板としても具体化できるなど、各種の部品として具体化できる。
【００４１】
　なお、上記において樹脂板は、ＡＢＳ樹脂製のもので具体化したが、本考案においては、もちろんこれに限定されるものではない。黒以外の一色で、しかも不透明で透光性のある樹脂であれば良く、いずれの樹脂板においても具体化できる。ポリプロピレン、ポリウレタン樹脂、ポリエチレン樹脂など、各種の樹脂で製造できる。なお、熱可塑性樹脂が成形も容易であり好ましい。
【００４２】
　また、発光体としては蓄光材が好ましいが、これは発光体の一例であり、蛍光体やエレクトロ・ルミネッセンス、或いは、ＬＥＤ（発光ダイオード）でもよいなど、自発光性のある公知の発光体を用いることができる。本考案は、上記した実施の形態のものに限定されるものではなく、適宜に設計変更して具体化できる。例えば、前記形態において、人の顔を表示するようにしたが、当然のことながら、名所、旧跡の風景を表示するデザインとしても具体化できるのは言うまでもない。
【図面の簡単な説明】
【００４３】
【図１】本考案の図柄表示体の実施の形態を、樹脂板の裏面側の発光体側から、樹脂板の表面側に向けて光を当てて表面から見たときの図及び同図中のＢ−Ｂ線断面図及びＣ−Ｃ線断面図。
【図２】図１のＡ部の拡大図、及び同図中のＤ−Ｄ線断面図、及びＥ−Ｅ線断面図。
【図３】Ａは第１実施例を示す断面図であり、Ｂは蓄光材を引き抜くときの図、Ｃは蓄光材を引き抜いたときの図。
【図４】図３において蓄光材の裏面のカバー側から見た図。
【図５】第２実施例を示す断面図。
【符号の説明】
【００４４】
　１　図柄表示体
　１ａ　樹脂板
　２　樹脂板の裏面
　３　樹脂板の表面
　４　モノクロ状の一定図柄（人物の顔）
　３１　蓄光材（発光体）
【図１】
0003100142.tif 000003
【図２】
0003100142.tif 000004
【図３】
0003100142.tif 000005
【図４】
0003100142.tif 000006
【図５】
0003100142.tif 000007